(57)【要約】【課題】互いに異なるタイプのプラグ接続端子が１ケース内に実装され、一平面上に配列され、全体の厚さを最小にする、携帯端末用の接続プラグを提供する。【解決手段】携帯端末用の接続プラグは、ケース（１１）内の一平面に配置され、ソケットに挿入される互いに異なるタイプの複数のプラグ接続端子（２０，３０）を具備する。ここで、ソケットの接続端子に接続される複数のプラグ接続端子の端部は、異なる位置に配置されている。複数のプラグ接続端子は、互いに異なる長さを有する。従って、接続プラグの異なるタイプのプラグ接続端子は、プラグ接続端子の端部が異なる位置に配置されるように一平面上に実装されるので、接続プラグの厚さが最小になる。また、１個の接続プラグで異なる機能を果たす。さらに、異なるプラグ接続端子は異なる長さを有するので、接続プラグがソケットに挿入される際に接続端子が安定して接続される。【選択図】図２
2013115048.tif 000002
【特許請求の範囲】
【請求項１】
携帯端末用の接続プラグであって、
ケース内の一平面に配置され、複数のプラグ接続端子に接続する接続端子が実装されたソケットに挿入される互いに異なるタイプの前記複数のプラグ接続端子を具備し、
前記ソケットの前記接続端子に接続される前記複数のプラグ接続端子の端部は、異なる位置に配置されていることを特徴とする接続プラグ。
【請求項２】
前記複数のプラグ接続端子は、互いに異なる長さを有することを特徴とする請求項１記載の接続プラグ。
【請求項３】
前記ケースは、前記プラグ接続端子が実装ケースに取り付けられ又は前記実装ケースから分離されるよう構成された前記実装ケースを具備することを特徴とする請求項１記載の接続プラグ。
【請求項４】
前記実装ケースは、第１の前記プラグ接続端子を実装する第１実装部と、第２の前記プラグ接続端子を実装する第２実装部とを具備することを特徴とする請求項３記載の接続プラグ。
【請求項５】
前記第１プラグ接続端子は前記第２プラグ接続端子より長いことを特徴とする請求項４記載の接続プラグ。
【請求項６】
前記第１プラグ接続端子は、前記第２プラグ接続端子の両側に配置されることを特徴とする請求項４記載の接続プラグ。
【請求項７】
前記ケースは、
前記複数のプラグ接続端子の長さに対応して形成された第１及び第２の実装部、並びに前記第１及び第２の実装部の後端まで延長された第３実装部を有する実装ケースと、
前記実装ケースを包囲することにより前記複数のプラグ接続端子を保護すると共に前記第３実装部により前記実装ケースに結合されるよう構成されたカバーケースと
を具備することを特徴とする請求項１記載の接続プラグ。
【請求項８】
前記第３実装部は、該第３実装部を貫通する前記複数のプラグ接続端子に接続された回路基板の両端を挿入する基板実装凹部を具備することを特徴とする請求項７記載の接続プラグ。
【請求項９】
前記ソケットは、該ソケットに対する前記カバーケースの挿入長さを制限するプラグストッパを具備し、
前記カバーケースは、前記プラグストッパを挿入すると共に該プラグストッパが前記カバーケースに接触すると前記ソケットに対する前記カバーケースの挿入長さを制限するストッパ挿入穴を具備することを特徴とする請求項７記載の接続プラグ。
【請求項１０】
前記ストッパ挿入穴は、前記複数のプラグ接続端子が前記ソケットの前記接続端子にそれぞれ接続されるように、前記ソケットに挿入される前記ケースの長さに対応する長さに形成されることを特徴とする請求項９記載の接続プラグ。
【請求項１１】
前記カバーケースは固定突起を具備し、
前記固定突起は、前記ソケットへの挿入時に該ソケットの内面に前記固定突起が接触するように、前記カバーケースの上面から上方へ突出することを特徴とする請求項７記載の接続プラグ。
【請求項１２】
前記接続プラグは前記複数のプラグ接続端子により前記ソケットに係合し、
前記ソケットは一平面に配列された前記接続端子を具備することを特徴とする請求項１記載の接続プラグ。
【発明の詳細な説明】
【技術分野】
【０００１】
本発明は、携帯端末用の接続プラグに関し、より具体的には、少なくとも２タイプのプラグ接続端子が同一平面上に配置されるよう構成されることにより、２タイプの接続プラグを提供すると共に、全体の厚さが小さくなる、携帯端末用の接続プラグに関する。
【背景技術】
【０００２】
一般に、携帯端末は、音声通話のみならず、映像通信、情報の入出力、データ保存、インタネット接続等をも含む機能を具備する。
【０００３】
最近、このような機能はより多様化し、様々なコンテンツが携帯端末を通して応用されている。従って、携帯端末は、通話のみならず、個人情報、クレジットの支払い、写真やビデオの撮影、音楽やビデオの再生、ゲーム、放送受信等をも含む複雑な機能を具備する。また、これらの機能を結合することにより、マルチメディアデバイスを実施することができる。
【０００４】
様々な追加機能のため、携帯端末は、必要なソケットに対応する様々なタイプの接続モジュールを具備する。ソケット及び接続モジュールは、ユーザが必要とする携帯通信端子の入出力データを取るためのユニバーサル・シリアル・バス（ＵＳＢ）ポートと、イヤホン、リモートコントローラ、テレビ等の信号を接続する入出力デバイスの接続のための入出力ポートとを有する。
【０００５】
図５を参照すると、従来の携帯端末用の接続プラグが示される。様々なタイプの入出力ポートを、単一接続プラグを介して接続ソケットに接続するために、異なるタイプの接続端子３，４が互いに干渉することなく接続ソケットに接続するよう、ケース１に段２が形成されている。プラグ接続端子３，４は、各プラグ接続端子が異なる接続プラグとして機能するよう、段２の上部及び下部に分離して交互に配列される。
【０００６】
さらに、互いに異なる接続端子３，４の一方、例えばプラグ接続端子４は、接続プラグが接続ソケットに挿入されて接続ソケットの接続端子に接続されている間、下方へ移動するよう構成された可動端子である。
【０００７】
よって、接続プラグが接続ソケットに挿入される際に、接続ソケットの接続端子は、段２に対してケース１の上部に配置されたプラグ接続端子４、又は下部に配置されたプラグ接続端子３に接続される。従って、個々のプラグ接続端子は１ポートとして機能する。すなわち、１個の接続プラグは、２タイプのポートの機能を果たす。
【先行技術文献】
【特許文献】
【０００８】
【特許文献１】特開２００８−３０１４９２号公報
【発明の概要】
【発明が解決しようとする課題】
【０００９】
上述した従来の接続プラグは、異なる機能を有する様々なタイプのプラグを用意する不便さを解消するよう設計されている。互いに異なるタイプの接続プラグは段を形成し、１個のケース内の段に対して上部及び可部に配置されているので、近年の傾向に従って薄型の携帯端末を製造することが困難になる。
【００１０】
さらに、従来技術の接続プラグにおいて、プラグ接続端子の一方が可動端子であるので、プラグ接続端子としての可動端子は、別のプラグ接続端子がケースにインサート成形された後で組み込まれる必要がある。従って、ソケットの製造が複雑になる。
【００１１】
従って、上述の問題を解決するために、本発明の一側面は、互いに異なるタイプのプラグ接続端子が１ケース内に実装され、一平面上に配列され、全体の厚さを最小にする、携帯端末用の接続プラグを提供することである。
【００１２】
特に、本発明の別の側面は、一平面上に配列された互いに異なるタイプのプラグ接続端子が異なる位置でソケットの接続端子に接続されることである。
【００１３】
本発明のさらに別の側面は、一平面上に配列された互いに異なるタイプの接続端子が互いに干渉しないことである。
【００１４】
本発明の別の側面は、プラグ接続端子に接続される回路基板を提供することである。
【００１５】
本発明のさらに別の側面は、ソケットに対してプラグの挿入位置を案内することである。
【課題を解決するための手段】
【００１６】
本発明の一側面によれば、携帯端末用の接続プラグが提供される。接続プラグは、ケース内の一平面に配置され、複数のプラグ接続端子に接続する接続端子が実装されたソケットに挿入される互いに異なるタイプの複数のプラグ接続端子を具備する。ソケットの接続端子に接続される複数のプラグ接続端子の端部は、異なる位置に配置されている。
【００１７】
複数のプラグ接続端子は、互いに異なる長さを有する。
【００１８】
ケースは、複数のプラグ接続端子の長さに対応して形成された第１及び第２の実装部、並びに第１及び第２の実装部の後端まで延長された第３実装部を有する実装ケースと、実装ケースを包囲することにより複数のプラグ接続端子を保護すると共に第３実装部により実装ケースに結合されるよう構成されたカバーケースとを具備する。
【００１９】
複数のプラグ接続端子は、第１実装部に実装された第１プラグ接続端子と、第２実装部に実装された第２プラグ接続端子とを具備する。第１プラグ接続端子は第２プラグ接続端子より長い。
【００２０】
第１プラグ接続端子は、第２プラグ接続端子の両側に配置される。
【００２１】
第３実装部は、第３実装部を貫通する複数のプラグ接続端子に接続された回路基板の両端を挿入する基板実装凹部を具備する。
【００２２】
ソケットは、ソケットに対するカバーケースの挿入長さを制限するプラグストッパを具備する。カバーケースは、プラグストッパを挿入すると共にプラグストッパがカバーケースに接触するとソケットに対するカバーケースの挿入長さを制限するストッパ挿入穴を具備する。
【００２３】
ストッパ挿入穴は、複数のプラグ接続端子がソケットの接続端子にそれぞれ接続されるように、ソケットに挿入されるケースの長さに対応する長さに形成される。
【００２４】
カバーケースは固定突起を具備する。固定突起は、ソケットへの挿入時にソケットの内面に固定突起が接触するように、カバーケースの上面から上方へ突出する。
【００２５】
接続プラグは複数のプラグ接続端子によりソケットに係合し、ソケットは一平面に配列された接続端子を具備する。
【００２６】
本発明の実施形態によれば、接続プラグの互いに異なるタイプのプラグ接続端子は、個々のプラグ接続端子の端部が異なる位置に配置されるように、一平面上に実装される。従って、接続プラグの厚さが最小となる一方で、互いに異なる機能が１個の接続プラグで実行できる。
【００２７】
特に、接続プラグの互いに異なるタイプのプラグ接続端子が互いに異なる長さを有するので、プラグ接続端子及びソケット接続端子間の接続位置は異なる。従って、接続プラグがソケットに挿入されると、それぞれの端子は安定して接続される。
【００２８】
さらに、本発明の実施形態によれば、接続プラグの実装ケースに回路基板を実装するための基板実装凹部が設けられているので、プラグ接続端子は、回路基板に同時に接続されながら、別の方法又はユニットなしで実装ケースに実装できる。
【００２９】
本発明の実施形態によれば、ソケットに対して接続プラグの挿入長さを案内するストッパ挿入穴が、接続プラグに設けられる。従って、互いに異なる接続端子間の干渉、又は接続プラグがソケット内に過剰又は不十分に挿入される際に生じ得る接続不良は、防止される。
【００３０】
また、本発明の実施形態によれば、接続プラグに固定突起が設けられる。従って、接続プラグがソケットに挿入される際に、接続プラグ及びソケット間の間隙が固定突起により最小になる。この結果、ソケットからの接続プラグの不要な外れが防止される。
【００３１】
本発明の他の側面、特徴及び利点は、添付図面と併せて典型的な実施形態の以下の説明から明白であり、容易に理解されるであろう。
【図面の簡単な説明】
【００３２】
【図１】本発明に係る携帯端末用のプラグを接続ソケットに挿入する状態を示す斜視図である。
【図２】本発明に係る携帯端末用の接続プラグを示す分解断面図である。
【図３】本発明に係る携帯端末用の接続プラグの第１接続端子及び第２接続端子の実装状態を示す平面図である。
【図４Ａ】本発明に係る携帯端末用の接続プラグがソケットに挿入される際にケース固定突起がソケットに結合された状態を示す断面図である。
【図４Ｂ】本発明に係る携帯端末用の接続プラグがソケットに挿入される際に第１プラグ接続端子がソケットの接続端子に接続された状態を示す断面図である。
【図４Ｃ】本発明に係る携帯端末用の接続プラグがソケットに挿入される際に第２プラグ接続端子がソケットの接続端子に接続された状態を示す断面図である。
【図５】従来技術に係る携帯端末用の接続プラグの一部を示す斜視図である。
【発明を実施するための形態】
【００３３】
以下、図面を参照して、本発明の典型的な実施形態に係る携帯端末用のプラグについて詳細に説明する。ここで、本明細書を通して、同じ要素には同じ参照符号が付される。
【００３４】
図１は、本発明に係る携帯端末用の接続プラグ１０がソケットＳに挿入される状態を示す斜視図である。図２は、本発明に係る携帯端末用の接続プラグ１０の分解斜視図である。図３は、本発明に係る携帯端末用の接続プラグ１０の第１接続端子及び第２接続端子の実装状態を示す平面図である。
【００３５】
これらの図面に示されるように、接続プラグ１０は、回路基板Ｃに取り付けられたソケットＳに挿入されることにより、データ又は信号を伝送する入出力ポートを指す。互いに異なるタイプのプラグ接続端子は１個のケース内で一平面上に実装されているので、接続プラグ１０は、少なくとも２タイプの接続プラグの機能、例えば、ユニバーサル・シリアル・バス（ＵＳＢ）ポート、又は使用に従って信号を入力及び出力する入出力ポートの機能を果たす。
【００３６】
図２及び図３を参照すると、ケース１１は、互いに異なるタイプである第１プラグ接続端子２０及び第２プラグ接続端子３０を実装する実装ケース１１０と、実装ケース１１０の外側を取り囲むカバーケース１２０とを具備する。
【００３７】
実装ケース１１０は、第１プラグ接続端子２０を実装する第１実装部１１１と、第２プラグ接続端子３０を実装する第２実装部１１３と、回路基板１１７を実装する第３実装部１１５とを具備する。
【００３８】
第１実装部１１１は、第１プラグ接続端子２０を実装するために上部が開放する第１端子実装凹部１１１ａを有する。第２実装部１１３は、第２プラグ接続端子３０を実装するために上部が開放する第２端子実装凹部１１３ａを有する。ここで、第１実装部１１１及び第２実装部１１３は、第１プラグ接続端子２０及び第２プラグ接続端子３０が一平面上に配置されるように、一平面を形成する。このため、第１プラグ接続端子２０及び第２プラグ接続端子３０が第１端子実装凹部１１１ａ及び第２端子実装凹部１１３ａに従来のインサート成形ではなく単に組立により固定されるので、製造方法が簡単になる。
【００３９】
ソケットＳに挿入される第１プラグ接続端子２０及び第２プラグ接続端子３０の端部は、各々のプラグ接続端子が互いに干渉しないように、異なる位置に配置される。
【００４０】
詳細には、ソケットＳの接続端子に接続されることにより異なる機能を果たすために、第１プラグ接続端子２０及び第２プラグ接続端子３０は、端部で接続される際に互いに干渉すべきでない。従って、ソケットＳの接続端子に対する第１プラグ接続端子２０及び第２プラグ接続端子３０の接続位置は、互いに異なる。
【００４１】
例えば、第１プラグ接続端子２０の一端は、実装ケース１１０の前側、すなわちソケットＳに挿入されるケース１１の一側に配置される。第２プラグ接続端子３０は、その一端が第１プラグ接続端子２０の一端の後側に配置されるように、実装ケース１０の後側に配置される。従って、第１プラグ接続端子２０及び第２プラグ接続端子３０並びにソケットＳの接続端子は、実装ケース１１０の前側及び後側から接続される。
【００４２】
ここで、第１プラグ接続端子２０及び第２プラグ接続端子３０は、互いに異なる長さを有する。例えば、第１プラグ接続端子２０は比較的長く形成されると共に実装ケース１１０の両側に配置されるのに対し、第２プラグ接続端子３０は第１プラグ接続端子２０よりも短く形成されると共に第１プラグ接続端子２０の間に配置される。実装ケース１１０の前側がソケットＳに挿入される側を指すと仮定すると、第１プラグ接続端子２０の端部は実装ケース１１０の前側に配置されるのに対し、第２プラグ接続端子３０の端部は第１プラグ接続端子２０の端部の背後に配置される。
【００４３】
従って、接続プラグ１０がソケットＳに挿入されると、第１プラグ接続端子２０及び第２プラグ接続端子３０は一平面上に配置される。しかし、第１プラグ接続端子２０の端部及び第２プラグ接続端子３０の端部が異なる位置、すなわち前側及び後側に配置されているので、ソケットＳに対する第１プラグ接続端子２０及び第２プラグ接続端子３０の接続位置は、異なってくる。この結果、干渉が防止される。
【００４４】
実装ケース１１０の端子実装凹部１１１ａ，１１３ａは、第１プラグ接続端子２０及び第２プラグ接続端子３０の長さにそれぞれ対応して形成される。
【００４５】
第３実装部１１５は、第１実装部１１１及び第２実装部１１３の一側から一体的に延長される。第３実装部１１５は箱形に形成される。箱形は、第１実装部１１１及び第２実装部１１３の第１端子実装凹部１１１ａ及び第２端子実装凹部１１３ａにそれぞれ実装された第１プラグ接続端子２０及び第２プラグ接続端子３０の後端が通過できる第１端子透孔１１１ｂ及び第２端子透孔１１３ｂを有する。
【００４６】
さらに、ケース固定突起１３０を挿入し固定する固定突起実装部１３１が、第３実装部１１５に設けられる。ケース固定突起１３０は、第１実装部１１１の両端から外方へ突出する突起を有する。
【００４７】
加えて、第３実装部１１５は、第１プラグ接続端子２０及び第２プラグ接続端子３０に接続される回路基板１１７を有する。回路基板１１７は、第１プラグ接続端子２０及び第２プラグ接続端子３０が回路パターンを介してＵＳＢポート又は入出力ポートの機能を果たすように、電気信号を送受信する。
【００４８】
後端付近の第１プラグ接続端子２０及び第２プラグ接続端子３０の端部が第１端子スルーホール１１１ｂ及び第２端子スルーホール１１３ｂを通過して第３実装部１１５で露出すると、回路基板１１７は、箱形を有する第３実装部１１５の後面から内方へ窪む基板実装凹部１１７ａに挿入されることにより、実装される。
【００４９】
すなわち、基板実装凹部１１７ａは第３実装部１１５に形成される。第１プラグ接続端子２０及び第２プラグ接続端子３０が第１及び第２の実装部１１１，１１３の第１及び第２の端子実装凹部１１１ａ，１１３ａに実装される際に、同時に、基板実装凹部１１７ａが回路基板１１７に接続される。従って、第１プラグ接続端子２０及び第２プラグ接続端子３０を回路基板１１７に接続するための別体ユニットは不要である。しかし、回路基板１１７に対する接触力が第１プラグ接続端子２０及び第２プラグ接続端子３０の弾性力のみでは不十分である場合には、固定のために半田付け等を加えてもよい。
【００５０】
カバーケース１２０は、第１プラグ接続端子２０及び第２プラグ接続端子３０を保護するために実装ケース１１０の一側を取り囲む。さらに、カバーケース１２０は、一側がソケットＳに挿入されることにより、各々の接続端子に接続されるよう両側に開放する。
【００５１】
カバーケース１２０は固定突起挿入穴１３５を有する。実装ケース１１０の両側に配置された固定突起実装部１３１に形成されたケース固定突起１３０は、固定突起挿入穴１３５に挿入されると共にカバーケース１２０から突出する。接続プラグ１０がソケットＳに挿入されると、ケース固定突起１３０がソケットＳに挿入されることにより接続プラグ１０がソケットＳに接続される。
【００５２】
さらに、実装ケース１１０の第３実装部１１５の上面から、中央固定突起１３３が上方へ突出する。カバーケース１２０は、中央固定突起１３３を挿入するための中央固定穴１３７を有する。カバーケース１２０の中央固定穴１３７は、カバーケース１２０の上面から延びる固定片１３６に配置される。
【００５３】
図２及び図４Ｃに示されるように、カバーケース１２０はストッパ挿入穴１３８を有する。ストッパ挿入穴１３８は、接続プラグ１０がソケットＳに挿入される際にソケットＳのプラグストッパＳ５を挿入するため開放された端面に配置される。ストッパ挿入穴１３８は、挿入案内面１３８ａと、停止面１３８ｂとを有する。挿入案内面１３８ａは、ソケットＳに形成されたプラグストッパＳ５に接触することによりソケットＳ内へのカバーケース１２０の挿入を案内する。停止面１３８ｂは、挿入案内面１３８ａに沿って挿入されるプラグストッパＳ５に接触することにより、接続プラグＰが適当な程度を超えてソケットＳに挿入されることを防止する。
【００５４】
接続プラグ１０がソケットＳに十分に挿入されていない場合、接続プラグ１０の第１プラグ接続端子２０及び第２プラグ接続端子３０は、ソケットＳの接続端子に接続されない。接続プラグ１０がソケットＳに過剰に挿入される場合、第１プラグ接続端子２０及び第２プラグ接続端子３０並びにソケットＳの接続端子は互いに干渉する。
【００５５】
図示されていないが、カバーケース１２０がソケットＳに挿入されると、ストッパ挿入穴１３８は、接続プラグ１０及びソケットＳの接続端子が正しく接続されるように、ソケットＳに形成されたプラグストッパＳ５を挿入案内面１３８ａに沿って案内する。同時に、ストッパ挿入穴１３８は、プラグストッパＳ５が停止面１３８ｂに接触するようになると接続プラグ１０がソケットＳにさらに挿入されることを防止する。
【００５６】
ストッパ挿入穴１３８は、ソケットＳのプラグストッパＳ５が挿入される位置に配置され、カバーケース１２０の上面及び下面の一方又は双方に設けられる。
【００５７】
カバーケース１２０は、上面から上方へ突出する固定突起１３９をさらに具備する。固定突起１３９は、接続プラグＰがソケットＳに挿入される際にカバーケース１２０及びソケットＳ間の間隙を最小にする。これにより、接続状態のソケットＳ及び接続プラグ１０の分離を防止する。
【００５８】
図４Ａは、本発明に係る携帯端末用の接続プラグ１０がソケットＳに挿入される際にケース固定突起１３０がソケットＳに結合された状態を示す断面図である。図４Ｂは、本発明に係る携帯端末用の接続プラグ１０がソケットＳに挿入される際に第１プラグ接続端子２０がソケットＳの接続端子に接続された状態を示す断面図である。図４Ｃは、本発明に係る携帯端末用の接続プラグ１０がソケットＳに挿入される際に第２プラグ接続端子３０がソケットＳの接続端子に接続された状態を示す断面図である。
【００５９】
以下、本発明に係る接続プラグ１０の接続ソケットＳへの接続方法、及び接続された状態について、図面を参照して詳細に説明する。
【００６０】
接続プラグ１０は、回路基板Ｃに実装された接続ソケットＳに挿入される。
【００６１】
従って、図４Ａに示されるように、実装ケース１１０の固定突起実装部１３１に配置されたケース固定突起１３０は、ソケットＳに形成された結合穴Ｓ２に挿入される。結合穴Ｓ２に挿入されたケース固定突起１３０は、接続プラグ１０をソケットＳ内の挿入位置に案内しながら、接続プラグ１０がソケットＳから外れるのを防止する。
【００６２】
図４Ｂに示されるように、第１プラグ接続端子２０は、ソケットＳに実装された第１接続端子Ｓ３に接続される。第１プラグ接続端子２０が第２プラグ接続端子３０より長いので、第１プラグ接続端子２０の端部は、実装ケース１１０の前側に配置されると共に実装ケース１１０の前側でソケットＳの第１接続端子Ｓ３に接続される。
【００６３】
同時に図４Ｃに示されるように、第２プラグ接続端子３０は、ソケットＳに実装された第２接続端子Ｓ４に接続される。第２プラグ接続端子３０が第１プラグ接続端子２０より短いので、第２接続端子Ｓ４に対する第２プラグ接続端子３０の接続位置は、実装ケース１１０の後側に配置される。従って、第１プラグ接続端子２０とソケットＳの第１接続端子Ｓ３との干渉が防止される。
【００６４】
すなわち、ソケットＳの第１接続端子Ｓ３及び第２接続端子Ｓ４は一平面上に配列されるのに対し、第１接続端子Ｓ３は相対的に長い第１プラグ接続端子２０の端部との接続のために相対的に短く形成され、第２接続端子Ｓ４は相対的に短い第２プラグ接続端子３０の端部との接続のために相対的に長く形成される。
【００６５】
従って、第１プラグ接続端子２０及び第１接続端子Ｓ３は実装ケース１１０の前側で接続されるのに対し、第２プラグ接続端子３０及び第２接続端子Ｓ４は実装ケース１１０の後側で接続される。このため、干渉が防止される。
【００６６】
ここで、接続プラグ１０は、ソケットＳに形成された挿入案内突起Ｓ５がカバーケース１２０の挿入案内穴１３８に挿入されるように、ソケットＳに挿入される。挿入案内穴１３８は、ソケットＳへの接続プラグ１０の挿入長さに対応する長さを有する。この場合、ソケットＳへの接続プラグ１０の過剰な挿入が防止されるので、短い第２プラグ接続端子３０は、長い第１プラグ接続端子２０に接続される予定の第１接続端子Ｓ３に接続することが防止される。また、ソケットＳへの接続プラグ１０の不十分な挿入が防止され、これにより、接続プラグ１０並びに第１及び第２の接続端子Ｓ３，Ｓ４の接続不良が防止される。
【００６７】
従って、挿入案内穴１３８がソケットＳの挿入案内突起Ｓ５と係合し、その結果、第１プラグ接続端子２０及び第２プラグ接続端子３０が干渉を伴わないで第１接続端子Ｓ３及び第２接続端子Ｓ４に安定して接続されるように、接続プラグ１０はソケットＳに挿入される。
【００６８】
また、接続プラグ１０がソケットＳに挿入されると、カバーケース１２０の上面に形成された固定突起１３９は、ソケットＳの内面に接触することにより接続プラグ１０及びソケットＳ間の間隙を最小にする。従って、ソケットＳからの接続プラグ１０の不要な分離が防止される。
【００６９】
従って、本発明に係る携帯端末用の接続プラグは、少なくとも２個の異なるプラグ接続端子が一平面上に配列され、ソケットの接続端子が異なる位置に配置されるように構成される。この結果、接続プラグの全体の厚さが最小になる。
【００７０】
本発明の典型的な実施形態を図示し説明したが、本発明は上述した典型的な実施形態に限定されない。代わりに、当業者であれば、本発明の原理及び真髄から逸脱することなく、典型的な実施形態を変形することが可能であることを理解するであろう。本発明の範囲は、特許請求の範囲及びその等価物で定義される。
【符号の説明】
【００７１】
１０    接続プラグ
１１    ケース
１１０  実装ケース
１１１    第１実装部
１１３    第２実装部
１１５    第３実装部
１１７ａ  基板実装凹部
１１７  回路基板
１２０  カバーケース
１３８    ストッパ挿入穴
１３９  固定突起
２０    第１プラグ接続端子
３０    第２プラグ接続端子
Ｓ      ソケット
Ｓ５    プラグストッパ
【図１】
2013115048.tif 000003
【図２】
2013115048.tif 000004
【図３】
2013115048.tif 000005
【図４Ａ】
2013115048.tif 000006
【図４Ｂ】
2013115048.tif 000007
【図４Ｃ】
2013115048.tif 000008
【図５】
2013115048.tif 000009